(57)【要約】 【課題】  ケース内に侵入する砂、埃等の影響が小さく円滑動作を期待できる防水扉のロック装置を提供する。【解決手段】  防水扉１の背面にスライド部材３１を扉縦方向に移動するように設け、スライド部材３１にはロックバー２３先端の係脱部３２を設け、前記ロックバー２３はケース２内のブラケット２２に基端部２４を回動可能に支持され、起立状態手前の準備位置Ｈに立ち上げられた防水扉１の前記係脱部３２に前記ロックバー２３先端を係合した状態で、前記スライド部材３１を扉縦方向において基部１ａ側に移動させることにより、ロックバー２３先端を扉枠４に向けて揺動移動させて、準備位置Ｈにあった防水扉１を起立状態として扉枠４に押し付けるようにした。【選択図】  図１０
2005188029.tif 000002
【特許請求の範囲】
【請求項１】
ケース上面を塞ぐ水平位置からヒンジを介して起立した防水扉をケース内のブラケットと防水扉との間に掛け渡したロックバーを介して扉枠に押し付けるように構成した防水扉のロック装置において、防水扉にはその背面にスライド部材を扉縦方向に移動するように設け、スライド部材にはロックバー先端の係脱部を設け、前記ブラケットはロックバーの基端部を回動可能に支持するように構成され、起立状態手前の準備位置に立ち上げられた防水扉の前記係脱部と前記ブラケットとの間にロックバーを掛け渡した状態で前記スライド部材を扉縦方向において基部側に移動させることにより、ロックバー先端を扉枠に向けて揺動移動させて、準備位置にあった防水扉を起立状態として扉枠に押し付けるように構成したことを特徴とする防水扉のロック装置。
【請求項２】
ロックバーの基端部は、ブラケットの支持軸に回動可能に連結される連結部を前記支持軸と直交する軸周りに回動するように軸支して成ることを特徴とする請求項１記載の防水扉のロック装置。
【請求項３】
ロックバーの基端部はブラケットの支持軸に係脱可能になっており、係合状態で前記基端部を回動可能に支持するようにしてあることを特徴とする請求項１記載の防水扉のロック装置。
【請求項４】
防水扉の背面には、スライド部材に対して基部側となる位置にハンドルを回動するように設け、そのハンドルとスライド部材とを連結部材で連繋して、ハンドルの回動により連結部材を介してスライド部材を移動するように構成したことを特徴とする請求項１〜３の何れかに記載の防水扉のロック装置。
【請求項５】
連結部材は、ハンドルを回動支持するハンドル軸と一体の揺動アームと、揺動アームの先端とスライド部材とを連結するリンク部材から構成されることを特徴とする請求項４記載の防水扉のロック装置。
【発明の詳細な説明】
【技術分野】
【０００１】
本発明は、主に建物や駐車場等の出入口からの浸水を防止する防水扉を起立状態に維持するロック装置に関する。
【背景技術】
【０００２】
従来、特許文献１に記載のように、ヒンジを介して起倒する防水扉に連結したロックバーの基部をガイドレール（ブラケット）の長いガイド孔に係合させ、手動操作により防水扉を起立させると、防水扉の起立動作に従ってガイドレールの基部がガイド孔に沿って前進し、ガイドレールの前端部においてロックバーの基部を偏心カムにより移動不能に拘束することで、ロックバーを介して防水扉を起立状態にロックするようになっている。ところが、防水扉は水害等がない限りケースの上部開口を閉塞する状態のまま長時間放置されるので、床面と防水扉との隙間からケース内に侵入した砂、埃等が前記ガイド孔に入り込みやすく、ロックバーの基部のローラがガイド孔に円滑に案内されず、結果として防水扉の起立動作が円滑に行えないおそれがあった。
特許文献２には、ブラケットに横方向に支点軸を中心として上下方向へ傾動可能に設けられた操作レバーと、この操作レバーと上下方向へスライド可能なロッドを上下に連結するクランクレバーとから成るトグルリンク機構が記載されている。
【特許文献１】特開平１０−２４６０７４号公報
【特許文献２】特開２０００−８７５２号公報
【発明の開示】
【発明が解決しようとする課題】
【０００３】
本発明では、上記特許文献１の技術に鑑み、ケース内に侵入する砂、埃等の影響が小さく円滑動作を期待できる防水扉のロック装置を提供することを目的とする。
【課題を解決するための手段】
【０００４】
本願は、ケース上面を塞ぐ水平位置からヒンジを介して起立した防水扉をケース内のブラケットと防水扉との間に掛け渡したロックバーを介して扉枠に押し付けるように構成した防水扉のロック装置において、防水扉にはその背面にスライド部材を扉縦方向に移動するように設け、スライド部材にはロックバー先端の係脱部を設け、前記ブラケットはロックバーの基端部を回動可能に支持するように構成され、起立状態手前の準備位置に立ち上げられた防水扉の前記係脱部と前記ブラケットとの間にロックバーを掛け渡した状態で前記スライド部材を扉縦方向において基部側に移動させることにより、ロックバー先端を扉枠に向けて揺動移動させて、準備位置にあった防水扉を起立状態として扉枠に押し付けるように構成したことを特徴とする。
【０００５】
具体的にロックバーの基端部は、ブラケットの支持軸に回動可能に連結される連結部を前記支持軸と直交する軸周りに回動するように軸支して成る。または、ロックバーの基端部はブラケットの支持軸に係脱可能になっており、係合状態で前記基端部が回動可能に支持するようにしてあることを特徴とする。防水扉の背面には、スライド部材に対して基部側となる位置にハンドルを回動するように設け、そのハンドルとスライド部材とを連結部材で連繋して、ハンドルの回動により連結部材を介してスライド部材を移動するように構成したことを特徴とする。前記連結部材は、ハンドルを回動支持するハンドル軸と一体の揺動アームと、揺動アームの先端とスライド部材とを連結するリンク部材から構成されることを特徴とする。
【発明の効果】
【０００６】
本発明では、防水扉にはスライド部材を扉縦方向に移動するように設け、スライド部材にはロックバー先端の係脱部を設け、ケース内のブラケットはロックバーの基端部を回動可能に支持し、起立状態手前の準備位置に立ち上げられた防水扉の前記係脱部にロックバーの先端を係合させた状態で前記スライド部材を扉縦方向において基部側に移動させることにより、ロックバー先端が扉枠に向けて揺動移動して準備位置にあった防水扉を起立状態として扉枠に押し付ける構成として長いガイド孔が無いので、ロックバーの基部を防水扉の起立動作に従ってガイド孔に沿って前進させるものに比して、砂や埃の影響を小さくできるという効果を生じる。また、ロックバー先端を準備位置の防水扉に係合させるようにしたので、ロックバーが防水扉の起立動作に影響を与えることはない。更に、前記スライド部材がハンドルの回動により移動する構成としたことで、簡単な構成であってメンテナンスも容易に行える。
【実施例】
【０００７】
図１〜２に示す防水扉１は、建物や駐車場等の出入口の床面Ｆに埋設されたケース２に配設され、作業者による手動操作により防水扉１の基部１ａに連結されたヒンジ１０を介してケース２上部開口を閉塞する状態（図２の水平位置Ａ）から前記出入口を閉塞する状態（図１０の起立位置Ｂ）に起立させるものである。そして、起立した防水扉１を後述するロック装置２０によりケース２の前板２ａ側の左右に立設されたパッキン部材３付きの扉枠４に押し付けた状態でロックするようになっている。ケース２に沿って縁材５が取り付けられている。ケース２の前板２ａには水平方向にパッキン部材６が取り付けられ、そのパッキン部材６の両端と、前記扉枠４の垂直方向のパッキン部材３下端部と連続させてある。尚、パッキン部材３は、パッキン部材３と対応する防水扉１の基部１ａ側両端部分に形成された切り欠き部を通過し、水平位置Ａにある防水扉１と干渉しないようになっている。ケース２には、図示しない排水管が連結され、その排水管を通ってケース２内に侵入してきた水を排水するようになっている。ケース２の後板２ｂには水平位置Ａにある防水扉１の先端部１ｂを支持する支持材７が取り付けてある。
【０００８】
前記ヒンジ１０について説明する。ケース２の底板２ｃには、前板２ａ側の左、右に夫々固定ベース１１が固定的に配置されている。各固定ベース１１には当接部材１７で連結された左右一対の可動ベース１２先端が支持軸１３により揺動可能に軸支されている。その可動ベース１２の中間部（支持軸１３より後側位置）には、リンク動作固定部１４ａを備えた第１リンク１４の下端部が回動自在にピン連結されている。可動ベース１２の後端には、前記第１リンク１４長より長く設定してある第２リンク１５の下端部が回動自在にピン連結されている。防水扉１に一体固着する扉取付部材１６に、前記第１，第２リンク１４，１５の他端部が枢着されている。この４節リンク構造のヒンジ１０を防水扉１の基部１ａに連結したことで、防水扉１の先端部１ｂを起立方向へ揺動させると、第１，第２リンク１４，１５のリンク動作によって防水扉１の基部１ａが扉枠４から離れるように後退する（図５）。そして、第１リンク１４のリンク動作固定部１４ａが当接部材１７に当接すると、第１，第２リンク１４，１５のリンク動作が固定され、扉枠４から離れるように後退していた防水扉１の基部１ａの動作が停止する（図６）。これ以降は、第１，第２リンク１４，１５と共に可動ベース１２が扉枠４に向けて揺動することで、防水扉１の基部１ａが扉枠４に向けて回動されるようになっている（図７）。
【０００９】
次にロック装置２０について説明する。ケース２の底板２ｃには、後板２ｂ側の中央に扉幅方向に平行な支持軸２１を備えたブラケット２２が固定的に配置されている。ロックバー２３の基端部２４は、ブラケット２２の支持軸２１に回動可能に連結される連結部２５を前記支持軸２１と直交する軸周りに回動するように軸支して成るので、ロックバー２３はブラケット２２に回動可能に連結されたものである。防水扉１の背面の中央には断面コ字状のロック部本体２６が取り付けられている。ロック部本体２６の下面には板部材２７が固定されている。その板部材２７にはボルト２８によって左右一対の案内レール２９が取り付けられ、板部材２７と案内レール２９との間には扉縦方向に溝３０が形成されている。その溝３０にはスライド部材３１が扉縦方向に移動可能に挿入されている。スライド部材３１の先端側（防水扉１の先端部１ｂ側）にはロックバー２３先端の係脱部である第１軸部材３２が前記支持軸２１と平行に取り付けられている。また、スライド部材３１の先端側には、前記第１軸部材３２に係合したロックバー２３先端が干渉しないように切り欠き部３３が形成されている。
【００１０】
ロックバー２３先端には前記第１軸部材３２に係脱可能な溝３４が形成されている。また、ロックバー２３先端には溝３４に係合した第１軸部材３２を抜け止めするように抜け止め装置５０が設置されている。その抜け止め装置５０は、軸部材５１の両端にハンドル５２と抜け止め部材５３とを連結したものであり、図８の（ａ）から（ｂ）に示すように、ハンドル５２の回転によって溝３４の内側に抜け止め部材５３が突出するようになっている。尚、本実施形態では、ロックバー２３の基端部２４はブラケット２２に回動可能に連結されているが、図１１に示すように、ロックバー２３Ａの基端部２４Ａにブラケット２２の支持軸２１に係脱可能な溝３５を形成し、係合状態で前記基端部２４Ａを回動可能に支持するようにしてあってもよい。更に、基端部２４Ａに上記した抜け止め装置５０を設置することで、ロックバー２３Ａが不意な方向に移動しても基端部２４Ａと支持軸２１との係合状態が維持される。
【００１１】
前記ロック部本体２６には、スライド部材３１に対して防水扉１の基部１ａ側となる位置にハンドル３６を回動するように設け、そのハンドル３６は前記スライド部材３１とハンドル軸３７、揺動アーム３８、リンク部材３９から成る連結部材４０で連繋されている。ロック部本体２６に回動自在に支持されたハンドル軸３７には左右一対の揺動アーム３８が一体的に取り付けてあり、左右の揺動アーム３８の先端はピン部材４１によって連結されている。そのピン部材４１にはＬ字状のリンク部材３９の後端が回動自在に連結されている。リンク部材３９の先端は、スライド部材３１の後端側に取り付けられた第２軸部材４２に回動自在に連結されている。このことから、ハンドル３６の回動により連結部材４０を介してスライド部材３１が扉縦方向に移動するようになっている。防水扉１の背面には、防水扉１の揺動中に前記ハンドル３６が回動しないように保持具４３が設置されている。尚、図２に示すように、スライド部材３１がロック部本体２６の先端側に移動した時に、ハンドル３６が待機位置Ｔ（防水扉１に平行状態）となるように揺動アーム３８の取付角度及びリンク部材３９の長さが夫々調整されている。
【００１２】
次に、上記ロック装置２０を備えた防水扉１の作動について説明する。建物や駐車場等の出入口の床面Ｆに埋設されたケース２に配設された防水扉１は、通常、ケース２の上部開口を閉塞する状態（水平位置Ａ）としてある。ロック装置２０のロックバー２３は、図１に示すように、横倒しされて防水扉１によって上部開口を塞がれたケース２内に収められている。大雨等によって建物や駐車場等の出入口に浸水が生じる恐れが発生した場合には、作業者による手動操作により防水扉１の先端部１ｂを水平位置Ａから起立方向に向かって揺動させる。その時、防水扉１の基部１ａは、第１，第２リンク１４，１５のリンク動作により扉枠４から離れるように後退する（図５）。その後、第１リンク１４のリンク動作固定部１４ａが当接部材１７に当接すると、第１，第２リンク１４，１５のリンク動作が固定され防水扉１の基部１ａが扉枠４に向けて回動される（図６，７）。
【００１３】
防水扉１を起立状態手前の準備位置Ｈに立ち上げると、作業者によってロックバー２３先端の溝３４をスライド部材３１の第１軸部材３２に係合させる。そして、抜け止め装置５０により溝３４から第１軸部材３２が抜けないようにする。その時、ブラケット２２と防水扉１との間にロックバー２３を掛け渡した状態となるので、防水扉１の先端部１ｂから作業者の手が外される。その後、作業者が待機位置Ｔのハンドル３６を回動してスライド部材３１を扉縦方向において基部１ａ側に移動させると、ロックバー２３先端が扉枠４に向けて揺動移動することで、前記準備位置Ｈにあった防水扉１を起立状態として扉枠４に押し付ける。この起立位置Ｂで維持される防水扉１により出入口が閉塞されるので出入口からの浸水が防止されることになる。このように、ブラケット２２に回動可能に連結されたロックバー２３先端を防水扉１に設けたスライド部材３１に係合させ、スライド部材３１を扉縦方向において基部１ａ側に移動させると、ロックバー２３により防水扉１が扉枠４に押し付けられる構造としたことで、従来のように長いガイド孔とそれに案内されるローラを用いないため、ケース２内に侵入する砂、埃等が詰まるおそれが小さく、円滑な揺動動作が期待できる。尚、本実施形態では、起立した防水扉１を１本のロックバー２３で扉枠４に押し付けるようにしたが、複数のブラケット２２に回動可能に連結された複数のロックバー２３によって起立した防水扉１を扉枠４に押し付けるようにしてもよい。
【００１４】
次に、図１１の示すロックバー２３Ａを用いた場合について説明する。前記実施形態と同一の部分には同一の符号を付けて説明する。建物や駐車場等の出入口の床面Ｆに埋設されたケース２に配設された防水扉１は、通常、ケース２の上部開口を閉塞する状態（水平位置Ａ）としてある。ロック装置２０のロックバー２３Ａは、防水扉１によって上部開口を塞がれたケース２内に収納してある。大雨等によって建物や駐車場等の出入口に浸水が生じる恐れが発生した場合には、作業者による手動操作により防水扉１の先端部１ｂを水平位置Ａから起立方向に向かって揺動させる。その時、防水扉１の基部１ａは、第１，第２リンク１４，１５のリンク動作により扉枠４から離れるように後退する（図５）。その後、第１リンク１４のリンク動作固定部１４ａが当接部材１７に当接すると、第１，第２リンク１４，１５のリンク動作が固定され防水扉１の基部１ａが扉枠４に向けて回動される（図６，７）。
【００１５】
防水扉１を起立状態手前の準備位置Ｈに立ち上げると、作業者はロックバー２３Ａをケース２内から取り出し、ロックバー２３Ａの基端部２４Ａの溝３５をブラケット２２の支持軸２１に、ロックバー２３Ａ先端の溝３４をスライド部材３１の第１軸部材３２に夫々係合させる。そして、各抜け止め装置５０によりロックバー２３Ａの基端部２４Ａの溝３５から支持軸２２、ロックバー２３Ａ先端の溝３４から第１軸部材３２が抜けないようにする。その時、ブラケット２２と防水扉１との間にロックバー２３Ａを掛け渡した状態となるので、防水扉１の先端部１ｂから作業者の手が外される。その後、作業者が待機位置Ｔのハンドル３６を回動してスライド部材３１を扉縦方向において基部１ａ側に移動させると、ロックバー２３Ａ先端が扉枠４に向けて揺動移動することで、前記準備位置Ｈにあった防水扉１を起立状態として扉枠４に押し付ける。この起立位置Ｂで維持される防水扉１により出入口が閉塞されるので出入口からの浸水が防止されることになる。このように、ブラケット２２に回動可能に支持されたロックバー２３Ａ先端を防水扉１に設けたスライド部材３１に係合させ、スライド部材３１を扉縦方向において基部１ａ側に移動させると、ロックバー２３Ａにより防水扉１が扉枠４に押し付けられる構造としたことで、従来のように長いガイド孔とそれに案内されるローラを用いないため、ケース２内に侵入する砂、埃等が詰まるおそれが小さく、円滑な揺動動作が期待できる。
【図面の簡単な説明】
【００１６】
【図１】本発明のロック装置を備えた防水扉を示す平面図である。
【図２】図１のＩＩ−ＩＩ線断面図である。
【図３】図２のＩＩＩ視図である。
【図４】図２のＩＶ−ＩＶ線断面図である。
【図５】第１，第２リンクによるリンク動作を示す図である。
【図６】第１，第２リンクによるリンク動作が固定された状態を示す図である。
【図７】防水扉の基部が扉枠に向けて回動した状態を示す図である。
【図８】抜け止め装置を示す図である。
【図９】準備位置に揺動した防水扉とブラケットの間にロックバーを掛け渡した状態を示す図である。
【図１０】防水扉の起立状態を示す図である。
【図１１】別のロックバーを準備位置に揺動した防水扉とブラケットの間に掛け渡した状態を示す図である。
【図１２】防水扉の起立状態を示す図である。
【符号の説明】
【００１７】
１      防水扉
１ａ    基部
２      ケース
４      扉枠
２０    ロック装置
２１    支持軸
２２    ブラケット
２３    ロックバー
２４    基端部
２５    連結部
３１    スライド部材
３２    第１軸部材
３６    ハンドル
３７    ハンドル軸
３８    揺動アーム
３９    リンク部材
４０    連結部材
Ａ    水平位置
Ｈ    準備位置
【図１】
2005188029.tif 000003
【図２】
2005188029.tif 000004
【図３】
2005188029.tif 000005
【図４】
2005188029.tif 000006
【図５】
2005188029.tif 000007
【図６】
2005188029.tif 000008
【図７】
2005188029.tif 000009
【図８】
2005188029.tif 000010
【図９】
2005188029.tif 000011
【図１０】
2005188029.tif 000012
【図１１】
2005188029.tif 000013
【図１２】
2005188029.tif 000014